(57)【要約】【課題】振動を受けつつも、受け口および追い口などの切り口を精度よく形成できるようにする。【解決手段】エンジンが内設されたケース２０と、該ケース２０から突設された案内板３１と、該案内板３１に張設され、エンジンによって回動する鎖状鋸歯３２と、ケース２０に取り付けられ、回動する鎖状鋸歯３２を被鋸断部材Ｗに切り込んでいくように操作するハンドル４１とを備えた動力鋸において、照射方向が案内板３１の伸びる方向に対して直交するように、かつ、各光源の並びが案内板３１の面３１ａに対して直交するように、複数のレーザ光源５，…を並設する。【選択図】図１
2013018232.tif 000002
【特許請求の範囲】
【請求項１】
エンジンが内設されたケース（２０）と、該ケース（２０）から突設された案内板（３１）と、該案内板（３１）に張設され、エンジンによって回動する鎖状鋸歯（３２）と、ケース（２０）に取り付けられ、回動する鎖状鋸歯（３２）を被鋸断部材（Ｗ）に切り込んでいくように操作するハンドル（４１）とを備えた動力鋸において、
照射方向が案内板（３１）の伸びる方向に対して直交するように、かつ、各光源の並びが案内板（３１）の面（３１ａ）に対して直交するように、複数のレーザ光源（５，…）が並設されることを特徴とする動力鋸。
【請求項２】
前記レーザ光源（５，…）は、一方向と、該一方向とは反対の方向の両方向に照射されるように、２箇所（４１，４００）に配置されることを特徴とする請求項１に記載の動力鋸。
【請求項３】
エンジンが内設されたケース（２０）と、該ケース（２０）から突設された案内板（３１）と、該案内板（３１）に張設され、エンジンによって回動する鎖状鋸歯（３２）と、ケース（２０）に取り付けられ、回動する鎖状鋸歯（３２）を被鋸断部材（Ｗ）に切り込んでいくように操作するハンドル（４１）とを備えた動力鋸において、
照射方向が案内板（３１）の伸びる方向に対して直交するように、かつ、各光源の並びが案内板（３１）の面（３１ａ）に対して直交するように、複数のレーザ光源（５，…）が並設されるアダプタ（６）をハンドル（４１）に取り付けることを特徴とする動力鋸。
【請求項４】
前記アダプタ（６）は、各レーザ光源（５，…）の照射方向が、一方向と、該一方向とは反対の方向に照射されるように、前記ハンドル（４１）とは反対側（４００）に装着されることを特徴とする請求項３に記載の動力鋸。
【発明の詳細な説明】
【技術分野】
【０００１】
本発明は、例えば、樹木を伐採する際に使用される動力鋸に関する。
【背景技術】
【０００２】
この種の従来の動力鋸（以下、チェーンソーという）を使用する場合は、まず、伐採対象となる樹木を伐採した際に、伐採した樹木が、その近傍の他の樹木や障害物に接触しないように、伐採した樹木の伐倒方向が決められる。すなわち、伐採対象となる樹木の一側に、チェーンソーによって受け口を形成した後、その反対側に、チェーンソーによって追い口を形成して、決定した伐倒方向に伐採した樹木が倒れるようにしている。
【０００３】
伐採対象となる樹木に受け口を形成するには、まず、樹木の一側において、所定の高さの位置に、該樹木の軸線に対して直交方向に、チェーンソーのソーチェーンをあてがって水平方向（径内方向）に切り込んでいく。そして、その上方の位置において、ソーチェーンを斜め下方にあてがって径内方向に切り込んでいく。すなわち、受け口は、水平方向の切り口と、斜め下方の切り口とで形成される断面扇形状の切り口となっている。その後、樹木の他側（受け口とは反対側）において、受け口の水平方向の切り口よりもやや高い位置に、ソーチェーンをあてがって水平方向（径内方向）に切り込んでいく。すなわち、追い口は、略半月状の切り口となっている。
【０００４】
このように形成される受け口および追い口は、作業者の熟練度や疲労度によって、精度が異なる。安直に受け口および追い口を形成して伐採を行うと、思いがけない方向に樹木が倒れて、周辺の設備を損傷したり、他の樹木に寄りかかったり、他の樹木へ接触することによってさらに倒れる方向が変わったりする不具合が生じる。
【０００５】
このため、作業者は、監視者によって、チェーンソーの操作の様子がチェックされ、指導されている。また、チルホールやロープを使用して、伐採する樹木の倒れる方向をコントロールする場合もある。
【０００６】
また、チェーンソーのソーチェーンおよびハンドル以外の箇所に、切断する際の角度の適否を確認するための水準器を設けたものが公知になっている（例えば、特許文献１）。
【先行技術文献】
【特許文献】
【０００７】
【特許文献１】特開２００４−９０１０３号公報
【発明の概要】
【発明が解決しようとする課題】
【０００８】
特許文献１に開示されたチェーンソーの場合、水準器を常時視認しつつ作業することになるが、チェーンソーのソーチェーンを樹木に切り込んだ際は、大きな振動が作業者に伝達されることになる。したがって、作業者は、チェーンソーからの振動を受けながら、小さな水準器の指標線を視認しつつ鋸断作業をするのは困難であると考えられる。
【０００９】
そこで、本発明は、振動を受けつつも、受け口および追い口などの切り口を精度よく形成できる動力鋸を提供することを課題とする。
【課題を解決するための手段】
【００１０】
本発明に係る動力鋸は、エンジンが内設されたケース２０と、該ケース２０から突設された案内板３１と、該案内板３１に張設され、エンジンによって回動する鎖状鋸歯３２と、ケース２０に取り付けられ、回動する鎖状鋸歯３２を被鋸断部材Ｗに切り込んでいくように操作するハンドル４１とを備えた動力鋸において、照射方向が案内板３１の伸びる方向に対して直交するように、かつ、各光源の並びが案内板３１の面３１ａに対して直交するように、複数のレーザ光源５，…が並設されることを特徴とする。
【００１１】
かかる構成によれば、複数のレーザ光源５，…から照射される照射光が、案内板３１の伸びる方向に対して直交するように、かつ、案内板３１の面３１ａに対して直交するように照射されるので、照射光を視認しつつ、被鋸断部材Ｗに対して鋸断方向に沿って、回動する鎖状鋸歯３２を切り込んでいく操作をすれば、精度の高い切り口を形成することができる。
【００１２】
また、本発明によれば、前記レーザ光源５，…は、一方向と、該一方向とは反対の方向の両方向に照射されるように、２箇所４１，４００に配置されるような構成を採用することもできる。
【００１３】
かかる構成によれば、作業者の立ち位置や利き手に関係なく、動力鋸を使用することができる。
【００１４】
また、本発明に係る別の動力鋸は、エンジンが内設されたケース２０と、該ケース２０から突設された案内板３１と、該案内板３１に張設され、エンジンによって回動する鎖状鋸歯３２と、ケース２０に取り付けられ、回動する鎖状鋸歯３２を被鋸断部材Ｗに切り込んでいくように操作するハンドル４１とを備えた動力鋸において、照射方向が案内板３１の伸びる方向に対して直交するように、かつ、各光源の並びが案内板３１の面３１ａに対して直交するように、複数のレーザ光源５，…が並設されるアダプタ６をハンドル４１に取り付けることを特徴とする。
【００１５】
かかる構成によれば、動力鋸１の鎖状鋸歯３２を操作するハンドル４１に、複数のレーザ光源５，…が並設されたアダプタ６を取り付けるようにしたので、既製の動力鋸にも対応できるようになり、既製の動力鋸においても精度の高い切り口を形成できる。
【００１６】
また、本発明によれば、前記アダプタ６は、各レーザ光源５，…の照射方向が、一方向と、該一方向とは反対の方向に照射されるように、前記ハンドル４１とは反対側４００に装着されるような構成を採用することもできる。
【００１７】
かかる構成によれば、作業者の立ち位置や利き手に関係なく、動力鋸を使用することができる。
【発明の効果】
【００１８】
本発明によれば、複数のレーザ光源から照射される照射光が、案内板の伸びる方向に対して直交するように、かつ、案内板の面に対して直交するように照射されるので、照射光を視認しつつ、被鋸断部材に対して鋸断方向に沿って、回動する鎖状鋸歯を切り込んでいく操作をすれば、精度の高い切り口を形成することができる。
【図面の簡単な説明】
【００１９】
【図１】本発明に係る一実施形態の動力鋸を示す斜視図。
【図２】（ａ）は、図１の動力鋸を用いて、樹木に受け口を形成する状態を示す斜視図、（ｂ）は、受け口の形成された樹木に追い口を形成する状態を示す斜視図。
【図３】図１の動力鋸の底部におけるハンドルの取付部位に、複数のレーザ光源を取り付けた状態を示す斜視図。
【図４】既製の動力鋸に装着されるアダプタを示す斜視図。
【図５】図４のアダプタを、既製の動力鋸のハンドルに実装した状態を示す斜視図。
【発明を実施するための形態】
【００２０】
本発明に係る動力鋸（以下、チェーンソーという）の一実施形態について図１を参照しながら説明する。なお、図１において、チェーンソーの鎖状鋸歯駆動部（以下、ソーチェーン駆動部という）の突設方向を前後方向とし、この前後方向に対し上下に直交する方向を上下方向、左右に直交する方向を左右方向とする。
【００２１】
チェーンソー１は、図１に示すように、本体部２と、該本体部２から突設されたソーチェーン駆動部３と、該ソーチェーン駆動部３の鎖状鋸歯（以下、ソーチェーンという）３２を操作するハンドル部４とを備えている。
【００２２】
本体部２は、略直方体形状のケース２０を有しており、該ケース２０の内部に、後述するソーチェーン３２を回動するエンジンと、該エンジンを冷却する冷却ファンと、エンジンで発生した気体を外部に排気する排気マフラと、エンジンにオイルを供給するオイルタンクとを有している（図示せず）。
【００２３】
ケース２０は、その前面に平行するようにハンドガード２１が取り付けられている。該ハンドガード２１は、ハンドル部４を把持する作業者の手を、ソーチェーン３２および該ソーチェーン３２によって鋸断された破片から保護すべく、後述するトップハンドル４１に平行するように取り付けられている。また、ハンドカバー２１は、ソーチェーン３２の回動を停止するブレーキレバーとして使用する場合もある。
【００２４】
ケース２０の上部には、エンジンを始動させるためのリコイルスタータ２２のハンドル２２０が設けられ、ケース２０の側部には、冷却ファンにより空気を吸引するための複数の吸引孔が形成されている（図示せず）。ケース２０の側部の前側には、プライミングポンプ２３が設けられ、その下方に、燃料タンクキャップ２４、および、オイルタンクキャップ２５が装着されている。ケース２０の前部には、オイルタンクが収容され、該オイルタンクから後述するガイドバー３１およびソーチェーン３２を油滑させるためのオイルを供給している（図示せず）。なお、供給時以外では、オイルタンクは、オイルタンクキャップ２５で止栓されている。また、ケース２０の後部の一側には、チョークレバー２６が設けられている。
【００２５】
ソーチェーン駆動部３は、ケース２０の右側方から前方に向かって突設された略長楕円状の案内板（以下、ガイドバーという）３１と、該ガイドバー３１の周縁部に沿うように張設されたソーチェーン３２とを有している。そして、ソーチェーン３２は、スプロケット（図示せず）に巻回され、ガイドバー３１の周囲に渡って架設されており、エンジンによって、ガイドバー３１の周囲に沿って回動するように構成されている。
【００２６】
ハンドル部４は、ケース２０の上面２０ａを左右方向に跨ぐように配置されるトップハンドル４１と、該トップハンドル４１から連設されるべく、ケース２０の側面２０ｂに上下方向に配置されるサイドハンドル４２と、ケース２０の後方に向かって突設された枠状のバックハンドル４３とを有している。
【００２７】
そして、トップハンドル４１は、その長さ方向（左右方向）に沿って複数のレーザ光源５，…が一直線状に配置されている。具体的に説明すると、各レーザ光源５，…は、照射方向がガイドバー３１の伸びる方向に対して直交するように、かつ、各光源の並びがガイドバー３１の面３１ａに対して直交するように並設されている。すなわち、各レーザ光源５，…の照射方向は、図１では、上方に向かって照射される。
【００２８】
バックハンドル４３は、前後方向に伸びる上枠部４３０と、上下方向に伸びる側枠部４３１と、前後方向に伸びる下枠部４３２とが一体的に連設されている。そして、上枠部４３０の上面４３０ａには、セーフティーレバー４４が設けられるとともに、前記上枠部４３０の下面（セーフティーレバー４４の反対側）４３０ｂには、スロットルレバー４５が設けられている。また、バックハンドル４３の上枠部４３０の側方にストップスイッチ４６が設けられている。
【００２９】
つぎに使用態様および作業手順について説明する。まず、ハンドガード２１を前方に倒して、チェーンブレーキをかける。そして、ストップスイッチ４６を「運転」の位置にするとともに、キャブレター内のバルブ（図示せず）に燃料が流れるように、プライミングポンプ２３を何度か押す。その後、チョークレバー２６をいっぱいに引く。これによって、スロットルレバー４５は自動的に「半開」状態にロックされる。そして、安定のよい場所にチェーンソー１を置き、トップハンドル４１を握り、足でバックハンドル４３の下枠部４３２を踏んで固定する。
【００３０】
続いて、リコイルスタータ２２のハンドル２２０を引き、引いた後、トップハンドル４１を手放さないでロープをゆっくり戻す。そうすると、初爆（ポン、ポンという爆発音がする）があることを確認し、セーフティーレバー４４を押しながら、スロットルレバー４５を軽く引き「半開」を解除する。これによって、チョークレバー２６は自動的に開（運転）の状態に戻る。
【００３１】
上述した操作で２〜３回爆発して停止したら、この状態のまま、再度、リコイルスタータ２２のハンドル２２０を引くと、エンジンが始動する。エンジンが始動したら、使用前に低速回転で２〜３分間暖機運転をする（スロットルレバー４５を放すとアイドル位置に戻り、低速回転になる）。
【００３２】
そして、暖機運転が終了すると、ハンドカバー（ブレーキレバー）２１を手前に引いてチェーンブレーキを解除し、スロットルレバー４５を徐々に引くと、ソーチェーン３２が回転仕始める。ソーチェーン３２の回転後、チェーンオイルが正常に吐出されているか確認する。
【００３３】
チェーンオイルの吐出を確認した後、伐採対象となる樹木Ｗの伐倒方向を決める。すなわち、伐採した樹木Ｗが、その近傍の他の樹木や障害物に接触しないようにする。つまり、伐採対象となる樹木Ｗの一側に、チェーンソー１によって受け口Ｃ１を形成した後、その反対側に、チェーンソー１によって追い口Ｃ２を形成して、決定した伐倒方向に伐採した樹木Ｗが倒れるようにする。
【００３４】
伐採対象となる樹木Ｗに受け口Ｃ１を形成するには、まず、樹木Ｗの一側において、所定の高さの位置に、該樹木Ｗの鋸断面Ｗ１に対して直交方向に、チェーンソー１のソーチェーン３２をあてがって水平方向（径内方向）に切り込んでいけるように、各レーザ光源５，…を点灯させる。そして、各レーザ光源５，…の光を視認しつつ、ソーチェーン３２を樹木Ｗに対して径内方向に直線状に切り込んでいく。この際、切り口としては、半月状になっている。その後、その上方の位置において、ソーチェーン３２を樹木Ｗの鋸断面Ｗ１に対して斜め下方にあてがって径内方向に切り込んでいく。この際も、前記と同様に、各レーザ光源５，…の照射光を視認しつつ、ソーチェーン３２を操作する。すなわち、受け口Ｃ１は、水平方向の切り口と、斜め下方の切り口とで形成される断面Ｖ字形状の切り口となっている。
【００３５】
つぎに、樹木Ｗの他側（受け口Ｃ１とは反対側）において、受け口Ｃ１の水平方向の切り口よりもやや高い位置に、ソーチェーン３２を鋸断面Ｗ２に対して直交方向にあてがって水平方向（径内方向）に切り込んでいく。この際、各レーザ光源５，…の光を視認しつつ、ソーチェーン３２を操作する。すなわち、追い口Ｃ２は、略半月状の切り口となっている。
【００３６】
そして、追い口Ｃ２が形成されることによって、樹木Ｗは、受け口Ｃ１側に向かって倒れるようになる。この際、受け口Ｃ１および追い口Ｃ２が精度良く形成されることから、伐採した樹木Ｗが、作業開始時に決めた伐倒方向に向かって倒れることになる。すなわち、樹木Ｗを安全に伐採することができる。
【００３７】
そして、作業終了後、スロットルレバー４５を放してエンジンの回転を低速（アイドリング状態）回転にするとともに、ストップスイッチ４６を「停止」の位置にして、エンジンを停止させる。
【００３８】
このように、本発明によれば、各レーザ光源５，…の照射光を視認しつつ、樹木Ｗに対して鋸断方向に沿って、回動するソーチェーン３２を切り込んでいく操作をすれば、精度の高い切り口を形成することができ、樹木Ｗを決定した伐倒方向に倒すことができて、作業の安全性を確保することができる。
【００３９】
なお、本発明は、前記実施形態に限定されるものではなく、種々変更することができる。
【００４０】
例えば、前記実施形態の場合、ハンドル部４のトップハンドル４１に複数のレーザ光源５，…を配置するようにしたが、図３に示すように、その反対側に位置するハンドル部４の取付部位４００に複数のレーザ光源５，…を並設するようにしてもよい。したがって、一方向だけではなく、該一方向とは反対の方向にもレーザ光源５，…の照射光を照射できるので、作業者の立ち位置や利き手（右利き、左利き）に関係なく、チェーンソー１を使用することができる。
【００４１】
また、前記実施形態の場合、ハンドル部４のトップハンドル４１に複数のレーザ光源５，…を配置するようにしたが、図４及び図５に示すように、複数のレーザ光源５，…が並設されたアダプタ６を、既製の動力鋸のハンドルＨに装着するようにしてもよい。該アダプタ６は、直方体状の箱体６１からなり、ハンドルＨの周面に当接できるように、背面全体が開口されるとともに、両端面に断面円弧状の開口部６１ａ，６１ａが形成されている。該箱体６１の正面６ａの略中央部に、長手方向の中心線に沿って平板６２が配置されている。該平板６２は、その長さ方向に沿って複数のレーザ光源５，…が並設されるとともに、平板６２の一端部に、該平板を揺動自在に支持する支軸６３が配置され、平板６２の他端部に、揺動する平板６２の位置を固定する固定ねじ６４が配置されている。そして、アダプタ６をチェーンソーのハンドルＨに実装する場合は、該ハンドルＨに、アダプタ６の箱体６１の両開口部６１ａ，６１ａを嵌合する。これによって、アダプタ６がハンドルＨに固定される。この状態で、チェーンソーを持って、鋸断する際の姿勢をとると、アダプタ６の平板６２が略鉛直方向に吊設されるようになる。そして、アダプタ６の各レーザ光源５，…の照射光が樹木Ｗの鋸断面Ｗ１に対して直交方向になるように、アダプタ６の他端部側を固定ねじ６４で固定する。これによって、ソーチェーン３２を樹木Ｗに対して径内方向に切り込んでいくことができる。
【００４２】
このように、既製のチェーンソーのハンドルＨにアダプタ６を装着することで、照射方向がガイドバーの伸びる方向に対して直交するように、かつ、各光源の並びがガイドバーの面に対して直交するように、複数のレーザ光源５，…が並設されるようになり、既製のチェーンソーにも対応できる。すなわち、既製のチェーンソーにおいても、前記実施形態と同様の効果を奏する。
【００４３】
なお、アダプタ６の位置調整としては、固定ねじ６４ではなく、錘を用いてもよい。また、図４に示すアダプタ６を、本体部２の底部に取り付けられるハンドル部４の取付部４００に装着するようにしてもよい。これによって、一方向（樹木Ｗの伐倒方向またはソーチェーンを樹木Ｗの鋸断面に対して切り込んでいく方向）と、該一方向とは反対の方向（ソーチェーンを樹木Ｗの前記鋸断面とは反対側の鋸断面に対して切り込んでいく方向）に各レーザ光源５，…の照射光を照射できるようになる。また、アダプタ６のレーザ光源５，…と、トップハンドル４１に並設されたレーザ光源５，…とを組み合わせるようにしてもよい。
【符号の説明】
【００４４】
５…レーザ光源、６…アダプタ、２０…ケース、３１…案内板、面…３１ａ、３２…鎖状鋸歯、４１…ハンドル、Ｗ…被鋸断部材
【図１】
2013018232.tif 000003
【図２】
2013018232.tif 000004
【図３】
2013018232.tif 000005
【図４】
2013018232.tif 000006
【図５】
2013018232.tif 000007